【手続補正書】
【提出日】平成21年8月11日(2009.8.11)
【手続補正１】
【補正対象書類名】特許請求の範囲
【補正対象項目名】全文
【補正方法】変更
【補正の内容】
【特許請求の範囲】
【請求項１】
検体を収容する容器を複数保持するラックであって、当該ラックを特定するための特定情報が記録された記録部を有するラックを搬送する搬送部と、
前記搬送されたラックの前記記録部から前記特定情報を読み出す読出部と、
前記容器から検体を吸引する吸引管を含む吸引部と、
前記読出部によって読み出された前記特定情報に基づいて、前記吸引部の動作を制御する制御部と、
前記吸引された検体を含む測定試料を分析する分析部とを備える、検体分析装置。
【請求項２】
前記吸引部は、前記吸引管を移動させる移動部をさらに備え、
前記制御部は、前記読み出された特定情報に基づいて、前記移動部が前記吸引管を移動させる動作を制御するように構成されている、請求項１に記載の検体分析装置。
【請求項３】
前記移動部は、前記吸引管を前記容器に挿入する方向へ移動させるように構成されており、
前記制御部は、前記読み出された特定情報に基づいて、前記吸引管を前記容器に挿入する挿入位置を決定し、決定した前記挿入位置に前記吸引管を前記容器に挿入するように前記移動部を制御するように構成されている、請求項２に記載の検体分析装置。
【請求項４】
前記容器の液面位置を検出する検出部をさらに備え、
前記移動部は、前記吸引管を上下方向に移動させるように構成されており、
前記制御部は、前記読み出された特定情報に基づいて、前記吸引管を前記液面位置から下降させる下降量を決定し、決定した前記下降量で前記吸引管を前記液面位置から下降させるように前記移動部を制御するように構成されている、請求項２または３に記載の検体分析装置。
【請求項５】
前記制御部は、前記読み出された特定情報に基づいて、吸引に必要な検体の液面位置の下限位置を決定し、前記検出部が液面位置を検出することなく前記吸引管が下限位置を下回った場合には、吸引動作を中止するように前記吸引部を制御する、請求項４に記載の検体分析装置。
【請求項６】
前記制御部は、前記読み出された特定情報に基づいて、検体の所定の正常量範囲を決定し、前記検出部により検出された液面位置と所定の正常量範囲とを比較し、比較結果に基づいて、前記容器に収容された検体の量が適量であるか否かを判定するように構成されている、請求項４に記載の検体分析装置。
【請求項７】
前記制御部は、前記検出部により検出された液面位置が前記正常量範囲外である場合には、警告を行うように構成されている、請求項６に記載の検体分析装置。
【請求項８】
前記容器が密閉容器である場合、前記制御部は、前記読み出された特定情報に基づいて、前記検出部の検出機能を停止させる停止範囲を決定し、前記吸引管が前記停止範囲を下回るまで前記検出部の検出機能を停止させるように前記検出部を制御するように構成されている、請求項４に記載の検体分析装置。
【請求項９】
前記制御部は、前記読み出された特定情報に基づいて、前記容器が密閉容器であるか否かを判別し、判別結果に基づいて、前記吸引部の動作を制御するように構成されている、請求項１〜７のいずれか１項に記載の検体分析装置。
【請求項１０】
検体を収容する容器を複数保持するラックに付された、当該ラックを特定するための特定情報が記録された記録部から前記特定情報を読み出す読出部と、
前記容器から検体を吸引する吸引管を含む吸引部と、
前記読出部によって読み出された特定情報に基づいて、前記吸引部の動作を制御する制御部と、
吸引された検体を含む測定試料を分析する分析部とを備える、検体分析装置。
【請求項１１】
検体を収容する容器を複数保持するラックに付された、当該ラックを特定するための特定情報が記録された記録部から外部の読出装置によって読み出された前記特定情報を受信する受信部と、
前記容器から検体を吸引する吸引管を含む吸引部と、
前記読出部によって読み出された特定情報に基づいて、前記吸引部の動作を制御する制御部と、
吸引された検体を含む測定試料を分析する分析部とを備える、検体分析装置。
【請求項１２】
検体を収容する容器を複数保持しており、保持する容器を特定するための特定情報が記録された記録部を有するラックを搬送する搬送部と、
前記搬送されたラックの前記記録部から前記特定情報を読み出す読出部と、
前記容器から検体を吸引する吸引管を含む吸引部と、
前記読出部によって読み出された前記特定情報に基づいて、前記吸引部の動作を制御する制御部と、
前記吸引された検体を含む測定試料を分析する分析部とを備える、検体分析装置。
【手続補正２】
【補正対象書類名】明細書
【補正対象項目名】００２２
【補正方法】変更
【補正の内容】
【００２２】
この発明の第２の局面による検体分析装置は、検体を収容する容器を複数保持するラックに付された、当該ラックを特定するための特定情報が記録された記録部から前記特定情報を読み出す読出部と、前記容器から検体を吸引する吸引管を含む吸引部と、前記読出部によって読み出された特定情報に基づいて、前記吸引部の動作を制御する制御部と、吸引された検体を含む測定試料を分析する分析部とを備える。
【手続補正３】
【補正対象書類名】明細書
【補正対象項目名】００２３
【補正方法】変更
【補正の内容】
【００２３】
この第２の局面による検体分析装置では、上記のように、検体を収容する容器を複数保持するラックに付された記録部から当該ラックを特定するための特定情報を読み出す読出部を設けることによって、ラックからラックの特定情報を得ることができる。このラックから得た特定情報により、そのラックに保持される容器を特定することができるので、容器のバーコードを張り替えるなどの作業を行う必要がない。このため、検査効率が低下するのを抑制することができる。また、ラックの特定情報を読み出すだけで容器の形状を特定することができるので、各々の容器の形状自体をセンサや複雑な制御などにより特定する必要がない。このため、装置が複雑化するのを抑制することができる。
【手続補正４】
【補正対象書類名】明細書
【補正対象項目名】００２４
【補正方法】変更
【補正の内容】
【００２４】
この発明の第３の局面による検体分析装置は、検体を収容する容器を複数保持するラックに付された、当該ラックを特定するための特定情報が記録された記録部から外部の読出装置によって読み出された前記特定情報を受信する受信部と、前記容器から検体を吸引する吸引管を含む吸引部と、前記読出部によって読み出された特定情報に基づいて、前記吸引部の動作を制御する制御部と、吸引された検体を含む測定試料を分析する分析部とを備える。
【手続補正５】
【補正対象書類名】明細書
【補正対象項目名】００２５
【補正方法】変更
【補正の内容】
【００２５】
この第３の局面による検体分析装置では、上記のように、検体を収容する容器を複数保持するラックに付された記録部から当該ラックを特定するための特定情報を読み出す外部の読出装置によって読み出された特定情報を受信する受信部を設けることによって、読出装置によって読み出された特定情報を受信部により受信して、ラックの特定情報を得ることができる。この受信した特定情報により、ラックに保持される容器を特定することができるので、容器のバーコードを張り替えるなどの作業を行う必要がない。このため、検査効率が低下するのを抑制することができる。また、読出装置によって読み出されたラックの特定情報を受信するだけで容器の形状を特定することができるので、各々の容器の形状自体をセンサや複雑な制御などにより特定する必要がない。このため、装置が複雑化するのを抑制することができる。